(57)【要約】【課題】スキャナ部を使用状態に切り換えた際の装置全体の設置安定性を向上させるとともに、スキャナ部を支持する部材を頑強に構成する必要の無い、低コスト化を図ることのできるスキャナ付き記録装置を提供する。【解決手段】インクジェットプリンタの機能を有する記録部２と、被読取対象物をスキャンする機能を有するスキャナ部３と、を備えたスキャナ付きプリンタ１において、スキャナ部３は、回動軸としてのヒンジ６を中心に回動することにより、立位姿勢と、倒伏姿勢と、をとり得る様にプリンタ本体１Ａに軸支されている。スキャナ部３が倒伏姿勢をとるときに、スキャナ部３のスキャナ本体４が、プリンタ本体１Ａの底面１Ｂを装置前方側に延長する。【選択図】図２
2007251642.tif 000002
【特許請求の範囲】
【請求項１】
被記録媒体に記録を行う記録部と、
被読取対象物をスキャンするスキャナ部と、を備えたスキャナ付き記録装置であって、
前記スキャナ部は、回動することにより、立位姿勢と、倒伏姿勢と、をとり得る様に前記記録部の本体に対して回動自在に設けられ、且つ前記倒伏姿勢において前記記録部本体の底面を延長する様構成されている、
ことを特徴とするスキャナ付き記録装置。
【請求項２】
請求項１において、前記スキャナ部が前記倒伏姿勢をとるときの当該スキャナ部の底面の面積が前記記録部本体の底面の面積より大きいことを特徴とするスキャナ付き記録装置。
【請求項３】
請求項１または２において、前記記録部が、複数枚の被記録媒体を傾斜姿勢でセット可能であるとともに被記録媒体を下方に向けて送り出す被記録媒体給送部と、
当該被記録媒体給送部の下方に設けられ、前記被記録媒体給送部から給送される被記録媒体をＵ字状に湾曲反転させて上方に向かわせる湾曲反転部と、
当該湾曲反転部の上方に設けられ、被記録媒体に記録を実行する記録実行部と、
当該記録実行部の上方に設けられ、記録の行われた被記録媒体を排出する排出部と、
当該排出部によって排出された被記録媒体が、前記被記録媒体給送部にセットされた被記録媒体と略平行な姿勢となるよう記録済みの被記録媒体を傾斜姿勢で支持するスタッカと、を備えて構成され、
前記スキャナ部が前記記録部本体の前面側に配置されているとともに前記スキャナ部の回動軸が前記記録部本体の底面近傍に配置されている、
ことを特徴とするスキャナ付き記録装置。
【請求項４】
請求項１から３のいずれか１項において、前記スキャナ部の立位姿勢が、前記記録部の本体によって下方から支持される傾斜姿勢であることを特徴とするスキャナ付き記録装置。
【請求項５】
請求項４において、前記スキャナ部の前記傾斜姿勢が、前記被記録媒体給送部にセットされた被記録媒体、及び前記スタッカに支持された記録済みの被記録媒体と略平行な姿勢である、
ことを特徴とするスキャナ付き記録装置。
【請求項６】
請求項３から５のいずれか１項において、前記被記録媒体給送部が、被記録媒体を収容する着脱自在なカセットを備えており、
前記カセットの蓋体が、前記スタッカを兼ねている、
ことを特徴とするスキャナ付き記録装置。
【請求項７】
請求項１から６のいずれか１項において、前記スキャナ部が、前記原稿台を備えたスキャナ部本体と、前記原稿台を覆う回動自在なカバー体と、を備えて構成されており、
前記スキャナ部本体の回動軸が、前記カバー体の回動軸を兼ねていることを特徴とするスキャナ付き記録装置。
【請求項８】
被噴射媒体に液体噴射を行う液体噴射部と、
被読取対象物をスキャンするスキャナ部と、を備えたスキャナ付き液体噴射装置であって、
前記スキャナ部は、回動することにより、立位姿勢と、倒伏姿勢と、をとり得る様に前記液体噴射部の本体に対して回動自在に設けられ、且つ前記倒伏姿勢において前記液体噴射部本体の底面を延長する様構成されている、
ことを特徴とするスキャナ付き液体噴射装置。
【発明の詳細な説明】
【技術分野】
【０００１】
被記録媒体に記録を行う記録部と、原稿台に載置された被読取対象物をスキャンするスキャナ部と、を備えたスキャナ付き記録装置及びスキャナ付き被噴射媒体に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
記録装置或いは液体噴射装置の一例としてインクジェットプリンタがある。近年、一般消費者向けインクジェットプリンタは、特許文献１に示すようにプリンタ機能に加えてスキャナ機能を備えた所謂複合機が主流となりつつある。複合機は、１台で原稿の読み取りと、用紙への記録を実行することができ、利便性が良いとともに設置スペースの節約にもなる。
【０００４】
ところでスキャナには原稿読み取り部（光学系）が動いて原稿をスキャンするものと、原稿読み取り部は固定であって、読み取られる原稿の側が搬送されつつスキャンされるものとがあるが、前者のタイプは搬送不可能な原稿、例えば書籍などをもスキャンすることが可能であり、複合機に用いられるスキャナとしては前者が主流となっている。
【０００５】
しかし、原稿読み取り部が走査するタイプのスキャナは、読み取る原稿の大きさに対応した原稿台が必要となる為、大型化し易く、従ってスキャナを備えた複合型のプリンタは大型化し易い性質を有している。特許文献２には、この様な問題に対処すべく、画像読取部（スキャナ部）を、重量方向と略平行に位置する第１の位置と、重力方向と略垂直の第２の位置間を移動可能に構成した画像形成装置が記載されている。即ち、第１の位置では、画像読取部が垂直姿勢となるので、装置の設置面積が縮小化されることになる。
【０００６】
【特許文献１】特開２００２−２９２９５９号公報
【特許文献２】特開２００３−１３４２８５号公報
【発明の開示】
【発明が解決しようとする課題】
【０００７】
しかし、特許文献１記載の画像形成装置においては、用紙排出口を装置の設置面（床面）近傍に配置する為、画像読取部が第２の位置にあるときに、当該画像読取部が装置の設置面に対して上方に位置している。従って装置全体として不安定な設置状態となり、重量の大きい書籍を原稿台に載置すると、装置全体が倒れてしまう虞がある。また、第２の位置では画像読取部を装置の設置面に対して上方に配置する必要があるため、画像読取部を支持する機構を頑強に構成する必要があり、コストダウンの障壁となる。
【０００８】
そこで本発明はこの様な状況に鑑みなされたものであり、その目的は、スキャナ部を使用状態に切り換えた際の装置全体の設置安定性を向上させるとともに、スキャナ部を支持する部材を頑強に構成する必要の無い、低コスト化を図ることのできるスキャナ付き記録装置を提供することにある。
【課題を解決するための手段】
【０００９】
上記課題を解決する為に、本発明の第１の態様は、被記録媒体に記録を行う記録部と、被読取対象物をスキャンするスキャナ部と、を備えたスキャナ付き記録装置であって、前記スキャナ部は、回動することにより、立位姿勢と、倒伏姿勢と、をとり得る様に前記記録部の本体に対して回動自在に設けられ、且つ前記倒伏姿勢において前記記録部本体の底面を延長する様構成されていることを特徴とする。
【００１０】
本態様によれば、スキャナ部が記録装置の本体に対して回動することで立位姿勢と倒伏姿勢とをとり得る様に構成されているので、立位姿勢をとることにより設置面積が縮小化され、装置を保管する際の設置スペースが小さくて済む。そして、倒伏姿勢においては、記録装置本体の設置面を延長する様構成されているので、スキャナ部が倒伏姿勢をとる際の記録装置全体の安定性が向上するとともに、スキャナ部を回動可能に支持する部材を頑強に構成する必要がなく、低コスト化を図ることができる。
【００１１】
本発明の第２の態様は、上記第１の態様において、前記スキャナ部が前記倒伏姿勢をとるときの当該スキャナ部の底面の面積が前記記録部本体の底面の面積より大きいことを特徴とする。本態様によれば、スキャナ部が倒伏姿勢をとるときの当該スキャナ部の底面の面積が記録装置本体の底面の面積より大きいので、スキャナ部が倒伏姿勢をとるときの装置全体の底面面積が大きく確保され、スキャナ部が倒伏姿勢をとるときの装置全体の安定性がより一層向上する。
【００１２】
本発明の第３の態様は、上記第１のまたは第２の態様において、前記記録部が、複数枚の被記録媒体を傾斜姿勢でセット可能であるとともに被記録媒体を下方に向けて送り出す被記録媒体給送部と、当該被記録媒体給送部の下方に設けられ、前記被記録媒体給送部から給送される被記録媒体をＵ字状に湾曲反転させて上方に向かわせる湾曲反転部と、当該湾曲反転部の上方に設けられ、被記録媒体に記録を実行する記録実行部と、当該記録実行部の上方に設けられ、記録の行われた被記録媒体を排出する排出部と、当該排出部によって排出された被記録媒体が、前記被記録媒体給送部にセットされた被記録媒体と略平行な姿勢となるよう記録済みの被記録媒体を傾斜姿勢で支持するスタッカと、を備えて構成され、前記スキャナ部が前記記録部本体の前面側に配置されているとともに前記スキャナ部の回動軸が前記記録部本体の底面近傍に配置されていることを特徴とする。
【００１３】
本態様によれば、記録済みの被記録媒体を排出する排出部が上方に位置することとなり、そしてスキャナ部の回動軸が記録装置本体の底面近傍、即ち下部に設けられていることから、スキャナ部を立位姿勢に切り換えたときに、当該スキャナ部を最も下方に配置することができる。これにより、被記録媒体を給送する被記録媒体給送部が大きく露呈し、被記録媒体をセットする際の作業性が低下することを防止できる。
【００１４】
本発明の第４の態様は、上記第１から第３の態様のいずれかにおいて、前記スキャナ部の立位姿勢が、前記記録部の本体によって下方から支持される傾斜姿勢であることを特徴とする。本態様によれば、前記スキャナ部の立位姿勢が、前記記録部の本体によって下方から支持される傾斜姿勢であるので、立位姿勢におけるスキャナの安定性が向上する。
【００１５】
本発明の第５の態様は、上記第４の態様において、前記スキャナ部の前記傾斜姿勢が、前記被記録媒体給送部にセットされた被記録媒体、及び前記スタッカに支持された記録済みの被記録媒体と略平行な姿勢であることを特徴とする。  
本態様によれば、被記録媒体給送部にセットされた被記録媒体、スタッカに支持された記録済みの被記録媒体、そしてスキャナ部、のこれら構成要素が互いにほぼ平行となる様な傾斜姿勢をとるので、装置全体の奥行き寸法を縮小化することができる。
【００１６】
本発明の第６の態様は、上記第３から第５の態様のいずれかにおいて、前記被記録媒体給送部が、被記録媒体を収容する着脱自在なカセットを備えており、前記カセットの蓋体が、前記スタッカを兼ねていることを特徴とする。  
本態様によれば、被記録媒体給送部が着脱自在なカセットを備えており、このカセットの蓋体が記録済みの被記録媒体を支持するスタッカを兼ねているので、部品点数の削減によって低コスト化を図ることができる。
【００１７】
本発明の第７の態様は、上記第１から第６の態様のいずれかにおいて、前記スキャナ部が、前記原稿台を備えたスキャナ部本体と、前記原稿台を覆う回動自在なカバー体と、を備えて構成されており、前記スキャナ部本体の回動軸が、前記カバー体の回動軸を兼ねていることを特徴とする。  
本態様によれば、スキャナ部本体の回動軸が、カバー体の回動軸を兼ねているので、部品点数の削減によって低コスト化を図ることができる。
【００１８】
本発明の第８の態様は、被噴射媒体に液体噴射を行う液体噴射部と、被読取対象物をスキャンするスキャナ部と、を備えたスキャナ付き液体噴射装置であって、前記スキャナ部は、回動することにより、立位姿勢と、倒伏姿勢と、をとり得る様に前記液体噴射部の本体に対して回動自在に設けられ、且つ前記倒伏姿勢において前記液体噴射部本体の底面を延長する様構成されていることを特徴とする。
【発明を実施するための最良の形態】
【００１９】
以下、図１乃至図４を参照しつつ本発明の一実施形態について説明する。図１及び図２は本発明に係る「スキャナ付き記録装置」或いは「スキャナ付き液体噴射装置」の一例としてのスキャナ付きプリンタ（以下「プリンタ」と言う）１の外観斜視図であって、図１はスキャナ部３が立位姿勢にあるときの状態、図２はスキャナ部３が倒伏姿勢にあるときの状態を示している。また、図３及び図４（Ａ）、（Ｂ）はスキャナ付きプリンタ１の側面図であって、図３はスキャナ部３が立位姿勢にあるとき、図４（Ａ）はスキャナ本体４のみが少し開いた状態、図４（Ｂ）はスキャナ本体４のみが倒伏姿勢となった状態、を示している。
【００２０】
図１及び図２においてプリンタ１は、プリンタ機能に加えてスキャナ機能を備える所謂複合機であり、「被記録媒体」、「被噴射媒体」の一例としての記録用紙へインクジェット記録を行うインクジェット式プリンタの機能を備えた記録部２と、記録部２の前方側に配置され、被読取対象物をスキャンする機能を備えたスキャナ部３とを備えて成る。尚、図中符号Ｆはプリンタ１が設置される設置面（床面）を示している。
【００２１】
スキャナ部３は、スキャナ本体４と、カバー体５とを備えて構成されている。スキャナ本体４は、スキャニングを行う際に被読取対象物を載置するガラス載置面から成る原稿台４Ａと、当該原稿台４Ａの下側にスキャニング装置（図示せず）とを備えており、カバー体５は、回動することによって原稿台４Ａを覆う状態と開放する状態とをとり得るようになっている。
【００２２】
スキャナ部３は、記録部２の本体であるプリンタ本体１Ａの前面に、回動軸としてのヒンジ６を介して回動可能に設けられている。ヒンジ６はプリンタ本体１Ａにおいて底面１Ｂの近傍、即ち下部に設けられており、スキャナ部３は、このヒンジ６を回動軸として回動することにより、図１に示す立位姿勢と、図２に示す倒伏姿勢（傾斜姿勢）とをとり得る様になっている。
【００２３】
尚、ヒンジ６は、スキャナ本体４の回動軸とカバー体５の回動軸とを兼ねており、スキャナ部３が立位姿勢にある状態から、スキャナ本体４のみが回動して図２或いは図４（Ｂ）に示す倒伏姿勢をとることができる様になっている。また、スキャナ部３は、立位姿勢においてプリンタ本体１Ａの外装カバー７によって下方から支持されることにより、傾斜姿勢をとる。
【００２４】
記録部２は、図３に示すように用紙給送部１１と、記録実行部１７と、用紙排出部２５と、を備えて構成されている。  
用紙給送部１１は用紙カセット１２と、給送ローラ１３とを備えて構成されている。用紙カセット１２はカセット本体１２Ａと蓋体１２Ｂとを備えて構成され、プリンタ本体１Ａに対し着脱自在に設けられるとともに、プリンタ本体１Ａに装着された状態では、傾斜姿勢となる。給送ローラ１３は用紙カセット１２にセットされた記録用紙Ｐに対し進退可能に設けられ、用紙カセット１２にセットされた記録用紙Ｐの最上位のものと接し且つ回転することにより、記録用紙Ｐを用紙カセット１２から繰り出す。
【００２５】
用紙給送部１１の下方には、用紙カセット１２から繰り出された記録用紙ＰをＵ字状に湾曲反転させて斜め上方に向かわせる湾曲反転部１５が設けられ、湾曲反転部１５の上方には、記録用紙Ｐに記録を実行する記録実行部１７が設けられている。記録実行部１７は、インクを吐出する記録ヘッド２１と、記録用紙Ｐを下から支持する紙案内２２と、記録ヘッド２１の側へ記録用紙Ｐを精密送りする搬送ローラ１８と、を備えて構成されている。記録ヘッド２１は主走査方向（図３の紙面表裏方向）に延びるキャリッジガイド軸２０にガイドされながら主走査方向に往復動するキャリッジ１９に設けられ、このキャリッジ１９には、図示を省略するインクカートリッジが搭載されている。
【００２６】
記録実行部１７の上方には、第１排出ローラ２６と第２排出ローラ２７とを備えて構成され、記録の行われた記録用紙Ｐを排出する用紙排出部２５が設けられている。この用紙排出部２５によって用紙排出口２８（図２）から排出された記録済みの記録用紙Ｐは、スタッカとしての機能を果たす用紙カセット１２の蓋体１２Ｂによって傾斜姿勢に支持される。尚、用紙カセット１２にセットされた記録用紙Ｐ（用紙カセット１２）と、排出された記録済みの記録用紙Ｐ（スタッカ）と、立位姿勢にあるスキャナ部３と、がそれぞれ傾斜姿勢に、且つ互いにほぼ平行になる様構成されており、装置の奥行き寸法の縮小化が図られている。
【００２７】
以上のように構成されたプリンタ１は、被読取対象物を読み取る場合には、スキャナ本体４を図４（Ｂ）に示す様に回動させて倒伏姿勢とし、即ちスキャナ本体４を設置面Ｆに平置き状態とし、被読取対象物を原稿台４Ａに載置した後、カバー体５を回動させて閉じ、スキャニングを行う。
【００２８】
尚、被読取対象物が例えば薄手の用紙（単票紙）等の場合には、スキャナ本体４を完全に開かずに図４（Ａ）の仮想線で示すように僅かに開き、カバー体５の側に読み取り面を手前にして原稿を載置し、そしてスキャナ本体４を再び閉じて、即ちスキャナ部３が立位姿勢のままでスキャニングを行うこともできる。尚この場合、カバー体５の側に載置した被読取対象物が滑り落ちないように、被読取対象物の先端を支持する支持手段（例えば、リブ等）をカバー体５に形成することが望ましい。
【００２９】
以上のように、プリンタ１においては、スキャナ部３がプリンタ本体１Ａに対して回動することで立位姿勢と倒伏姿勢とをとり得る様に構成されているので、立位姿勢をとることによりプリンタ１全体として設置面積が縮小化され、プリンタ１の非使用時、或いは単票紙等の薄手の被読取対象物をスキャンする場合における設置スペースが小さくて済む。
【００３０】
そして、スキャナ部３の倒伏姿勢においては、スキャナ部３が設置面Ｆによって直接支持されることとなり、即ちスキャナ本体の底面４Ｂが接地面となってプリンタ本体１Ａの底面１Ｂを延長する（底面４Ｂが底面１Ｂとともにプリンタ１全体の底面（設置面Ｆに接地する接地面）を形成する）こととなるので、スキャナ部３が倒伏姿勢をとる際のプリンタ１全体の安定性が向上するとともに、スキャナ部３を回動可能に支持する部材としてのヒンジ６を頑強に構成する必要がなく、低コスト化を図ることができる。
【００３１】
特に、スキャナ部３が倒伏姿勢をとるときの当該スキャナ部３の底面（底面４Ｂ）の面積が、プリンタ本体１Ａの底面（底面１Ｂ）の面積より大きいので、スキャナ部３が倒伏姿勢をとるときのプリンタ１全体の底面の面積（接地面の面積）が大きく確保され、安定性がより一層向上している。また、立位姿勢では完全な垂直姿勢ではなくプリンタ本体１Ａに支持される傾斜姿勢となるので、立位姿勢における安定性が向上している。
【００３２】
加えて、用紙排出部２５が上方に設けられており、そしてスキャナ部３の回動軸となるヒンジ６がプリンタ本体１Ａにおける底面１Ｂ、即ち下部に設けられているので、スキャナ部３を立位姿勢に切り換えたときに、当該スキャナ部３の上部を最も下方に位置させることができる。これにより、用紙カセット１２を大きく露呈させることができる為、用紙カセット１２をセットする際の作業性が向上する。
【００３３】
尚、本実施形態では用紙カセット１２の蓋体１２Ｂが記録済みの記録用紙Ｐを支持するスタッカを兼ねているので、部品点数の削減によって低コスト化を図っている。また、スキャナ本体４の回動軸（ヒンジ６）が、カバー体５の回動軸を兼ねているので、これによっても部品点数の削減によって低コスト化を図っている。また、本実施形態ではプリンタ本体１Ａの外装カバー７と、スキャナ部３のカバー体５とを別体に構成しているが、例えば外装カバー７を更に上方に延設し、スキャナ部３が立位姿勢にあるときに、スキャナ本体４の原稿台４Ａをカバー可能に構成すれば、プリンタ本体１Ａの外装カバー７によって、スキャナ部３のカバー体として利用することができ、更なる低コスト化を図ることができる。
【００３４】
尚、上記実施形態では、スキャナ部３をプリンタ本体１Ａの前面側に配置したが、側面或いは背面側に配置しても構わない。即ち、スキャナ部３が倒伏姿勢をとるときに、当該スキャナ部３が、プリンタ本体１Ａの底面１Ｂを、プリンタ１の前後方向或いは左右方向のいずれの方向に延長する様に構成しても構わない。
【図面の簡単な説明】
【００３５】
【図１】本発明に係るスキャナ付きプリンタの外観斜視図。
【図２】本発明に係るスキャナ付きプリンタの外観斜視図。
【図３】本発明に係るスキャナ付きプリンタの側面図。
【図４】（Ａ）、（Ｂ）共に本発明に係るスキャナ付きプリンタの側面図。
【符号の説明】
【００３６】
１  スキャナ付きプリンタ、１Ａ  プリンタ本体、１Ｂ  底面、２  記録部、３  スキャナ部、４  スキャナ本体、４Ａ  原稿台、４Ｂ  底面、５  カバー体、６  ヒンジ（回動軸）、７  外装カバー、１１  用紙給送部、１２  用紙カセット、１２Ａ  カセット本体、１２Ｂ  蓋体、１３  給送ローラ、１５  湾曲反転部、１７  記録実行部、１８  搬送ローラ、１９  キャリッジ、２０  キャリッジガイド軸、２１  記録ヘッド、２２  紙案内、２５  用紙排出部、２６  第１排出ローラ、２７  第２排出ローラ、２８  用紙排紙口、Ｆ  設置面、Ｐ  記録用紙
【図１】
2007251642.tif 000003
【図２】
2007251642.tif 000004
【図３】
2007251642.tif 000005
【図４】
2007251642.tif 000006